(57)【要約】【課題】  バッテリを有効活用しつつ、印刷の途中での印刷制御装置のバッテリーの消耗による用紙とインクの無駄を防止できるようにする。【解決手段】  印刷装置２００の印刷方式と、表示部１０３及び操作スイッチ部１０６により設定された印刷指定とに基づいて、所定数の画像を印刷するのに必要な処理内容を印刷制御部１０７で決定し、続いて、印刷完了判定部１０８において、この決定した処理内容とバッテリー状態検出部１０２で検出したバッテリー１０１の電源状態とに基づいて、設定された印刷指定を完了できるか否かを判定する。そして、印刷完了判定部１０８で印刷指定を完了できると判定された場合に、印刷制御部１０７において、印刷装置２００に対して所定数の画像の印刷処理を開始する指示をするようにする。【選択図】  図１
2006163638.tif 000002
【特許請求の範囲】
【請求項１】
所定数の画像を視認可能に印刷処理する印刷手段を備えた印刷装置の印刷動作を制御する印刷制御装置であって、
前記画像に対する印刷指定を設定する印刷設定手段と、
前記印刷設定手段により設定された印刷指定を行うための電源の状態を検出する電源状態検出手段と、
前記電源状態検出手段で検出された電源の状態に基づいて、前記印刷設定手段で設定された印刷指定を完了できるか否かを判定する印刷完了判定手段と、
前記印刷完了判定手段による判定の結果、前記電源の状態が、前記印刷設定手段で設定された印刷指定を完了できると判定された場合に、前記印刷装置に対して前記画像の印刷処理を開始するように指示する印刷制御手段とを有することを特徴とする印刷制御装置。
【請求項２】
前記印刷完了判定手段による判定の結果、前記電源の状態が、前記印刷設定手段で設定された印刷指定を完了できないと判定された場合に、前記印刷設定手段で設定された印刷指定のうち、完了できる印刷指定に自動的に再設定する自動再設定手段を更に有することを特徴とする請求項１に記載の印刷制御装置。
【請求項３】
前記印刷完了判定手段による判定の結果、前記電源の状態が、前記印刷設定手段で設定された印刷指定を完了できないと判定された場合に、前記印刷設定手段で設定された印刷指定のうち、完了できる印刷指定の範囲内で印刷指定の再設定を要求する再設定要求手段を更に有することを特徴とする請求項１に記載の印刷制御装置。
【請求項４】
前記印刷完了判定手段による判定の結果、前記電源の状態が、前記印刷設定手段で設定された印刷指定を完了できないと判定された場合に、前記印刷設定手段で設定された印刷指定のうち、完了できない印刷指定の印刷ジョブを作成する印刷ジョブ作成手段と、
前記印刷ジョブ作成手段で作成された印刷ジョブを記憶媒体に記憶する印刷ジョブ記憶手段とを更に有することを特徴とする請求項１〜３のいずれか１項に記載の印刷制御装置。
【請求項５】
所定数の画像を視認可能に印刷処理する印刷手段を備えた印刷装置の印刷動作を制御する印刷制御装置であって、
前記画像に対する印刷指定を設定する印刷設定手段と、
前記印刷設定手段により設定された印刷指定を行うための電源の状態を検出する電源状態検出手段と、
前記印刷装置の印刷方式を取得する印刷方式取得手段と、
前記印刷方式取得手段により取得された印刷方式と、前記印刷設定手段により設定された印刷指定とに基づいて、所定数の画像を印刷するのに必要な処理内容を決定する処理内容決定手段と、
前記電源状態検出手段で検出された電源の状態と、前記処理内容決定手段で決定された処理内容とに基づいて、前記電源の状態が、前記印刷設定手段で指定された印刷指定を完了できるか否かを判定する印刷完了判定手段と、
前記印刷完了判定手段による判定の結果、前記電源の状態が、前記印刷設定手段で設定された印刷指定を完了できると判定された場合に、前記印刷装置に対して前記画像の印刷処理を開始するように指示する印刷制御手段とを有することを特徴とする印刷制御装置。
【請求項６】
前記印刷完了判定手段による判定の結果、前記電源の状態が、前記印刷設定手段で設定された印刷指定を完了できないと判定された場合に、前記印刷設定手段で設定された印刷指定のうち、完了できる印刷指定に自動的に再設定する自動再設定手段を更に有することを特徴とする請求項５に記載の印刷制御装置。
【請求項７】
前記印刷完了判定手段による判定の結果、前記電源の状態が、前記印刷設定手段で設定された印刷指定を完了できないと判定された場合に、前記印刷設定手段で設定された印刷指定のうち、完了できる印刷指定の範囲内で印刷指定の再設定を要求する再設定要求手段を更に有することを特徴とする請求項５に記載の印刷制御装置。
【請求項８】
前記印刷完了判定手段による判定の結果、前記電源の状態が、前記印刷設定手段で設定された印刷指定を完了できないと判定された場合に、前記印刷設定手段で設定された印刷指定のうち、完了できない印刷指定の印刷ジョブを作成する印刷ジョブ作成手段と、
前記印刷ジョブ作成手段で作成された印刷ジョブを記憶媒体に記憶する印刷ジョブ記憶手段とを更に有することを特徴とする請求項５〜７のいずれか１項に記載の印刷制御装置。
【請求項９】
所定数の画像を視認可能に印刷処理する印刷手段を備えた印刷装置の印刷動作を制御する印刷制御装置であって、
前記画像に対する印刷指定を設定する印刷設定手段と、
前記印刷設定手段により設定された印刷指定を行うための電源の状態を検出する電源状態検出手段と、
前記印刷設定手段により設定された印刷指定の設定内容を取得する設定内容取得手段と、
前記設定内容取得手段により取得された印刷指定の設定内容に基づいて、所定数の画像を印刷するのに必要な処理内容を決定する処理内容決定手段と、
前記電源状態検出手段で検出された電源の状態と、前記処理内容決定手段で決定された処理内容とに基づいて、前記電源の状態が、前記印刷設定手段で設定された印刷指定を完了できるか否かを判定する印刷完了判定手段と、
前記印刷完了判定手段による判定の結果、前記電源の状態が、前記印刷設定手段で設定された印刷指定を完了できると判定された場合に、前記印刷装置に対して前記画像の印刷処理を開始するように指示する印刷制御手段とを有することを特徴とする印刷制御装置。
【請求項１０】
前記印刷完了判定手段による判定の結果、前記電源の状態が、前記印刷設定手段で設定された印刷指定を完了できないと判定された場合に、前記印刷設定手段で設定された印刷指定のうち、完了できる印刷指定に自動的に再設定する自動再設定手段を更に有することを特徴とする請求項９に記載の印刷制御装置。
【請求項１１】
前記印刷完了判定手段による判定の結果、前記電源の状態が、前記印刷設定手段で設定された印刷指定を完了できないと判定された場合に、前記印刷設定手段で設定された印刷指定のうち、完了できる印刷指定の範囲内で印刷指定の再設定を要求する再設定要求手段を更に有することを特徴とする請求項９に記載の印刷制御装置。
【請求項１２】
前記印刷完了判定手段による判定の結果、前記電源の状態が、前記印刷設定手段で設定された印刷指定を完了できないと判定された場合に、前記印刷設定手段で設定された印刷指定のうち、完了できない印刷指定の印刷ジョブを作成する印刷ジョブ作成手段と、
前記印刷ジョブ作成手段で作成された印刷ジョブを記憶媒体に記憶する印刷ジョブ記憶手段とを更に有することを特徴とする請求項９〜１１のいずれか１項に記載の印刷制御装置。
【請求項１３】
所定数の画像を視認可能に印刷処理する印刷手段を備えた印刷装置の印刷動作を制御する印刷制御方法であって、
前記画像に対する印刷指定を設定する印刷設定ステップと、
前記印刷設定ステップにより設定された印刷指定を行うための電源の状態を検出する電源状態検出ステップと、
前記電源状態検出ステップで検出された電源の状態に基づいて、前記印刷設定ステップで設定された印刷指定を完了できるか否かを判定する印刷完了判定ステップと、
前記印刷完了判定ステップによる判定の結果、前記電源の状態が、前記印刷設定ステップで設定された印刷指定を完了できると判定された場合に、前記印刷装置に対して前記画像の印刷処理を開始するように指示する印刷制御ステップとを有することを特徴とする印刷制御方法。
【請求項１４】
所定数の画像を視認可能に印刷処理する印刷手段を備えた印刷装置の印刷動作を制御する印刷制御方法であって、
前記画像に対する印刷指定を設定する印刷設定ステップと、
前記印刷設定ステップにより設定された印刷指定を行うための電源の状態を検出する電源状態検出ステップと、
前記印刷装置の印刷方式を取得する印刷方式取得ステップと、
前記印刷方式取得ステップにより取得された印刷方式と、前記印刷設定ステップにより設定された印刷指定とに基づいて、所定数の画像を印刷するのに必要な処理内容を決定する処理内容決定ステップと、
前記電源状態検出ステップで検出された電源の状態と、前記処理内容決定ステップで決定された処理内容とに基づいて、前記電源の状態が、前記印刷設定ステップで指定された印刷指定を完了できるか否かを判定する印刷完了判定ステップと、
前記印刷完了判定ステップによる判定の結果、前記電源の状態が、前記印刷設定ステップで設定された印刷指定を完了できると判定された場合に、前記印刷装置に対して前記画像の印刷処理を開始するように指示する印刷制御ステップとを有することを特徴とする印刷制御方法。
【請求項１５】
所定数の画像を視認可能に印刷処理する印刷手段を備えた印刷装置の印刷動作を制御する印刷制御方法であって、
前記画像に対する印刷指定を設定する印刷設定ステップと、
前記印刷設定ステップにより設定された印刷指定を行うための電源の状態を検出する電源状態検出ステップと、
前記印刷設定ステップにより設定された印刷指定の設定内容を取得する設定内容取得ステップと、
前記設定内容取得ステップにより取得された印刷指定の設定内容に基づいて、所定数の画像を印刷するのに必要な処理内容を決定する処理内容決定ステップと、
前記電源状態検出ステップで検出された電源の状態と、前記処理内容決定ステップで決定された処理内容とに基づいて、前記電源の状態が、前記印刷設定ステップで設定された印刷指定を完了できるか否かを判定する印刷完了判定ステップと、
前記印刷完了判定ステップによる判定の結果、前記電源の状態が、前記印刷設定ステップで設定された印刷指定を完了できると判定された場合に、前記印刷装置に対して前記画像の印刷処理を開始するように指示する印刷制御ステップとを有することを特徴とする印刷制御方法。
【請求項１６】
所定数の画像を視認可能に印刷処理する印刷手段を備えた印刷装置の印刷動作を制御する印刷制御方法をコンピュータに実行させるためのプログラムであって、
前記画像に対する印刷指定を設定する印刷設定ステップと、
前記印刷設定ステップにより設定された印刷指定を行うための電源の状態を検出する電源状態検出ステップと、
前記電源状態検出ステップで検出された電源の状態に基づいて、前記印刷設定ステップで設定された印刷指定を完了できるか否かを判定する印刷完了判定ステップと、
前記印刷完了判定ステップによる判定の結果、前記電源の状態が、前記印刷設定ステップで設定された印刷指定を完了できると判定された場合に、前記印刷装置に対して前記画像の印刷処理を開始するように指示する印刷制御ステップとをコンピュータに実行させるためのプログラム。
【請求項１７】
所定数の画像を視認可能に印刷処理する印刷手段を備えた印刷装置の印刷動作を制御する印刷制御方法をコンピュータに実行させるためのプログラムであって、
前記画像に対する印刷指定を設定する印刷設定ステップと、
前記印刷設定ステップにより設定された印刷指定を行うための電源の状態を検出する電源状態検出ステップと、
前記印刷装置の印刷方式を取得する印刷方式取得ステップと、
前記印刷方式取得ステップにより取得された印刷方式と、前記印刷設定ステップにより設定された印刷指定とに基づいて、所定数の画像を印刷するのに必要な処理内容を決定する処理内容決定ステップと、
前記電源状態検出ステップで検出された電源の状態と、前記処理内容決定ステップで決定された処理内容とに基づいて、前記電源の状態が、前記印刷設定ステップで指定された印刷指定を完了できるか否かを判定する印刷完了判定ステップと、
前記印刷完了判定ステップによる判定の結果、前記電源の状態が、前記印刷設定ステップで設定された印刷指定を完了できると判定された場合に、前記印刷装置に対して前記画像の印刷処理を開始するように指示する印刷制御ステップとをコンピュータに実行させるためのプログラム。
【請求項１８】
所定数の画像を視認可能に印刷処理する印刷手段を備えた印刷装置の印刷動作を制御する印刷制御方法をコンピュータに実行させるためのプログラムであって、
前記画像に対する印刷指定を設定する印刷設定ステップと、
前記印刷設定ステップにより設定された印刷指定を行うための電源の状態を検出する電源状態検出ステップと、
前記印刷設定ステップにより設定された印刷指定の設定内容を取得する設定内容取得ステップと、
前記設定内容取得ステップにより取得された印刷指定の設定内容に基づいて、所定数の画像を印刷するのに必要な処理内容を決定する処理内容決定ステップと、
前記電源状態検出ステップで検出された電源の状態と、前記処理内容決定ステップで決定された処理内容とに基づいて、前記電源の状態が、前記印刷設定ステップで設定された印刷指定を完了できるか否かを判定する印刷完了判定ステップと、
前記印刷完了判定ステップによる判定の結果、前記電源の状態が、前記印刷設定ステップで設定された印刷指定を完了できると判定された場合に、前記印刷装置に対して前記画像の印刷処理を開始するように指示する印刷制御ステップとをコンピュータに実行させるためのプログラム。
【請求項１９】
請求項１６〜１８のいずれか１項に記載のプログラムをコンピュータに読み取り可能に記憶したことを特徴とするコンピュータ読み取り可能な記憶媒体。
【請求項２０】
所定数の画像を視認可能に印刷処理するための印刷制御装置であって、
印刷を行うための電源の状態を検出する電源状態検出手段と、
第１印刷ジョブを格納する格納手段と、
前記電源状態検出手段で検出された電源の状態に基づいて、前記第１印刷ジョブを変更して第２印刷ジョブを作成する作成手段と、
前記作成手段により作成された前記第２印刷ジョブを前記格納手段に格納させる制御手段とを有することを特徴とする印刷制御装置。
【請求項２１】
前記作成手段は、前記第１印刷ジョブを分割することを特徴とする請求項２０に記載の印刷制御装置。
【請求項２２】
前記作成手段は、前記電源の状態に基づいて、前記第１印刷ジョブに指定される印刷が完了できない場合に、前記第２印刷ジョブとして、印刷完了できない少なくとも１画像の印刷指定を含むジョブを作成することを特徴とする請求項２０又は２１に記載の印刷制御装置。
【請求項２３】
所定数の画像を視認可能に印刷処理するための印刷制御装置の印刷動作を制御する印刷制御方法であって、
印刷を行うための電源の状態を検出する電源状態検出ステップと、
第１印刷ジョブを記憶媒体に格納する第１印刷ジョブ格納ステップと、
前記電源状態検出ステップで検出された電源の状態に基づいて、前記第１印刷ジョブを変更して第２印刷ジョブを作成する作成ステップと、
前記作成ステップにより作成された前記第２印刷ジョブを前記格納手段に格納する第２印刷ジョブ格納ステップとを有することを特徴とする印刷制御方法。
【請求項２４】
前記作成ステップでは、前記第１印刷ジョブを分割することを特徴とする請求項２３に記載の印刷制御方法。
【請求項２５】
前記作成ステップでは、前記電源の状態に基づいて、前記第１印刷ジョブに指定される印刷が完了できない場合に、前記第２印刷ジョブとして、印刷完了できない少なくとも１画像の印刷指定を含むジョブを作成することを特徴とする請求項２３又は２４に記載の印刷制御方法。
【請求項２６】
所定数の画像を視認可能に印刷処理するための印刷制御装置の印刷動作を制御する印刷制御方法をコンピュータに実行させるためのプログラムであって、
印刷を行うための電源の状態を検出する電源状態検出ステップと、
第１印刷ジョブを記憶媒体に格納する第１印刷ジョブ格納ステップと、
前記電源状態検出ステップで検出された電源の状態に基づいて、前記第１印刷ジョブを変更して第２印刷ジョブを作成する作成ステップと、
前記作成ステップにより作成された前記第２印刷ジョブを前記格納手段に格納する第２印刷ジョブ格納ステップとをコンピュータに実行させるためのプログラム。
【請求項２７】
請求項２６に記載のプログラムをコンピュータに読み取り可能に記憶したことを特徴とするコンピュータ読み取り可能な記憶媒体。
【発明の詳細な説明】
【技術分野】
【０００１】
本発明は、印刷装置の印刷処理を制御する印刷制御装置、印刷制御方法、当該印刷制御方法をコンピュータに実行させるためのプログラム及び当該プログラムを記憶するコンピュータ読み取り可能な記憶媒体に関する。
【背景技術】
【０００２】
デジタルカメラ等の記録再生装置とプリンタ（印刷装置）とを直接的に接続したり、またはそれらの装置を一体的に構成したりして、記録された画像を印刷処理する印刷制御システムがある。また、この印刷制御システムにおいて、プリンタによっては画像ファイルを取得して印刷するものや、Ｙ、Ｍ、Ｃのデータを取得して印刷するものがあり、カメラに要求するデータの種類が異なる場合もある。また、下記の特許文献１には、記録再生装置のバッテリーの消耗による印刷処理の失敗の発生を減少させることについて記述されている。
【０００３】
【特許文献１】特開２００２−２３４２３２号公報
【発明の開示】
【発明が解決しようとする課題】
【０００４】
しかしながら、前述した印刷制御システムにおいては、デジタルカメラ等の記録再生装置がプリンタにおける画像の印刷処理を制御する印刷制御装置となるが、ユーザにより大量の印刷処理が指定された後に、印刷制御装置のバッテリーの状態が変化した場合、従来の印刷制御システムでは、印刷制御装置のバッテリーが切れるまで指定された印刷処理を継続して行うようにしていたので、例えばプリンタでの印刷処理の途中でカメラのバッテリーが消耗してしまうという事態が多く発生していた。これにより、プリンタでの印刷処理の途中でカメラ等の印刷制御装置のバッテリーが消耗して起動停止してしまった場合には、印刷途中の用紙とインクが無駄となってしまう問題があった。
【０００５】
本発明は前述の問題点にかんがみてなされたものであり、バッテリーを有効活用しつつ、印刷の途中での印刷制御装置のバッテリーの消耗による用紙とインクの無駄を防止できるようにすることを目的とする。
【課題を解決するための手段】
【０００６】
本発明の印刷制御装置は、所定数の画像を視認可能に印刷処理する印刷手段を備えた印刷装置の印刷動作を制御する印刷制御装置であって、前記画像に対する印刷指定を設定する印刷設定手段と、前記印刷設定手段により設定された印刷指定を行うための電源の状態を検出する電源状態検出手段と、前記電源状態検出手段で検出された電源の状態に基づいて、前記印刷設定手段で設定された印刷指定を完了できるか否かを判定する印刷完了判定手段と、前記印刷完了判定手段による判定の結果、前記電源の状態が、前記印刷設定手段で設定された印刷指定を完了できると判定された場合に、前記印刷装置に対して前記画像の印刷処理を開始するように指示する印刷制御手段とを有する。
【０００７】
本発明の印刷制御装置における他の態様は、所定数の画像を視認可能に印刷処理する印刷手段を備えた印刷装置の印刷動作を制御する印刷制御装置であって、前記画像に対する印刷指定を設定する印刷設定手段と、前記印刷設定手段により設定された印刷指定を行うための電源の状態を検出する電源状態検出手段と、前記印刷装置の印刷方式を取得する印刷方式取得手段と、前記印刷方式取得手段により取得された印刷方式と、前記印刷設定手段により設定された印刷指定とに基づいて、所定数の画像を印刷するのに必要な処理内容を決定する処理内容決定手段と、前記電源状態検出手段で検出された電源の状態と、前記処理内容決定手段で決定された処理内容とに基づいて、前記電源の状態が、前記印刷設定手段で指定された印刷指定を完了できるか否かを判定する印刷完了判定手段と、前記印刷完了判定手段による判定の結果、前記電源の状態が、前記印刷設定手段で設定された印刷指定を完了できると判定された場合に、前記印刷装置に対して前記画像の印刷処理を開始するように指示する印刷制御手段とを有する。
【０００８】
また、本発明の印刷制御装置におけるその他の態様は、所定数の画像を視認可能に印刷処理する印刷手段を備えた印刷装置の印刷動作を制御する印刷制御装置であって、前記画像に対する印刷指定を設定する印刷設定手段と、前記印刷設定手段により設定された印刷指定を行うための電源の状態を検出する電源状態検出手段と、前記印刷設定手段により設定された印刷指定の設定内容を取得する設定内容取得手段と、前記設定内容取得手段により取得された印刷指定の設定内容に基づいて、所定数の画像を印刷するのに必要な処理内容を決定する処理内容決定手段と、前記電源状態検出手段で検出された電源の状態と、前記処理内容決定手段で決定された処理内容とに基づいて、前記電源の状態が、前記印刷設定手段で設定された印刷指定を完了できるか否かを判定する印刷完了判定手段と、前記印刷完了判定手段による判定の結果、前記電源の状態が、前記印刷設定手段で設定された印刷指定を完了できると判定された場合に、前記印刷装置に対して前記画像の印刷処理を開始するように指示する印刷制御手段とを有する。
【０００９】
また、本発明の印刷制御装置におけるその他の態様は、所定数の画像を視認可能に印刷処理するための印刷制御装置であって、印刷を行うための電源の状態を検出する電源状態検出手段と、第１印刷ジョブを格納する格納手段と、前記電源状態検出手段で検出された電源の状態に基づいて、前記第１印刷ジョブを変更して第２印刷ジョブを作成する作成手段と、前記作成手段により作成された前記第２印刷ジョブを前記格納手段に格納させる制御手段とを有する。
【００１０】
本発明の印刷制御方法は、所定数の画像を視認可能に印刷処理する印刷手段を備えた印刷装置の印刷動作を制御する印刷制御方法であって、前記画像に対する印刷指定を設定する印刷設定ステップと、前記印刷設定ステップにより設定された印刷指定を行うための電源の状態を検出する電源状態検出ステップと、前記電源状態検出ステップで検出された電源の状態に基づいて、前記印刷設定ステップで設定された印刷指定を完了できるか否かを判定する印刷完了判定ステップと、前記印刷完了判定ステップによる判定の結果、前記電源の状態が、前記印刷設定ステップで設定された印刷指定を完了できると判定された場合に、前記印刷装置に対して前記画像の印刷処理を開始するように指示する印刷制御ステップとを有する。
【００１１】
本発明の印刷制御方法における他の態様は、所定数の画像を視認可能に印刷処理する印刷手段を備えた印刷装置の印刷動作を制御する印刷制御方法であって、前記画像に対する印刷指定を設定する印刷設定ステップと、前記印刷設定ステップにより設定された印刷指定を行うための電源の状態を検出する電源状態検出ステップと、前記印刷装置の印刷方式を取得する印刷方式取得ステップと、前記印刷方式取得ステップにより取得された印刷方式と、前記印刷設定ステップにより設定された印刷指定とに基づいて、所定数の画像を印刷するのに必要な処理内容を決定する処理内容決定ステップと、前記電源状態検出ステップで検出された電源の状態と、前記処理内容決定ステップで決定された処理内容とに基づいて、前記電源の状態が、前記印刷設定ステップで指定された印刷指定を完了できるか否かを判定する印刷完了判定ステップと、前記印刷完了判定ステップによる判定の結果、前記電源の状態が、前記印刷設定ステップで設定された印刷指定を完了できると判定された場合に、前記印刷装置に対して前記画像の印刷処理を開始するように指示する印刷制御ステップとを有する。
【００１２】
また、本発明の印刷制御方法におけるその他の態様は、所定数の画像を視認可能に印刷処理する印刷手段を備えた印刷装置の印刷動作を制御する印刷制御方法であって、前記画像に対する印刷指定を設定する印刷設定ステップと、前記印刷設定ステップにより設定された印刷指定を行うための電源の状態を検出する電源状態検出ステップと、前記印刷設定ステップにより設定された印刷指定の設定内容を取得する設定内容取得ステップと、前記設定内容取得ステップにより取得された印刷指定の設定内容に基づいて、所定数の画像を印刷するのに必要な処理内容を決定する処理内容決定ステップと、前記電源状態検出ステップで検出された電源の状態と、前記処理内容決定ステップで決定された処理内容とに基づいて、前記電源の状態が、前記印刷設定ステップで設定された印刷指定を完了できるか否かを判定する印刷完了判定ステップと、前記印刷完了判定ステップによる判定の結果、前記電源の状態が、前記印刷設定ステップで設定された印刷指定を完了できると判定された場合に、前記印刷装置に対して前記画像の印刷処理を開始するように指示する印刷制御ステップとを有する。
【００１３】
また、本発明の印刷制御方法におけるその他の態様は、所定数の画像を視認可能に印刷処理するための印刷制御装置の印刷動作を制御する印刷制御方法であって、印刷を行うための電源の状態を検出する電源状態検出ステップと、第１印刷ジョブを記憶媒体に格納する第１印刷ジョブ格納ステップと、前記電源状態検出ステップで検出された電源の状態に基づいて、前記第１印刷ジョブを変更して第２印刷ジョブを作成する作成ステップと、前記作成ステップにより作成された前記第２印刷ジョブを前記格納手段に格納する第２印刷ジョブ格納ステップとを有する。
【００１４】
本発明のプログラムは、定数の画像を視認可能に印刷処理する印刷手段を備えた印刷装置の印刷動作を制御する印刷制御方法をコンピュータに実行させるためのプログラムであって、前記画像に対する印刷指定を設定する印刷設定ステップと、前記印刷設定ステップにより設定された印刷指定を行うための電源の状態を検出する電源状態検出ステップと、前記電源状態検出ステップで検出された電源の状態に基づいて、前記印刷設定ステップで設定された印刷指定を完了できるか否かを判定する印刷完了判定ステップと、前記印刷完了判定ステップによる判定の結果、前記電源の状態が、前記印刷設定ステップで設定された印刷指定を完了できると判定された場合に、前記印刷装置に対して前記画像の印刷処理を開始するように指示する印刷制御ステップとをコンピュータに実行させる。
【００１５】
本発明のプログラムにおける他の態様は、所定数の画像を視認可能に印刷処理する印刷手段を備えた印刷装置の印刷動作を制御する印刷制御方法をコンピュータに実行させるためのプログラムであって、前記画像に対する印刷指定を設定する印刷設定ステップと、前記印刷設定ステップにより設定された印刷指定を行うための電源の状態を検出する電源状態検出ステップと、前記印刷装置の印刷方式を取得する印刷方式取得ステップと、前記印刷方式取得ステップにより取得された印刷方式と、前記印刷設定ステップにより設定された印刷指定とに基づいて、所定数の画像を印刷するのに必要な処理内容を決定する処理内容決定ステップと、前記電源状態検出ステップで検出された電源の状態と、前記処理内容決定ステップで決定された処理内容とに基づいて、前記電源の状態が、前記印刷設定ステップで指定された印刷指定を完了できるか否かを判定する印刷完了判定ステップと、前記印刷完了判定ステップによる判定の結果、前記電源の状態が、前記印刷設定ステップで設定された印刷指定を完了できると判定された場合に、前記印刷装置に対して前記画像の印刷処理を開始するように指示する印刷制御ステップとをコンピュータに実行させる。
【００１６】
また、本発明のプログラムにおけるその他の態様は、所定数の画像を視認可能に印刷処理する印刷手段を備えた印刷装置の印刷動作を制御する印刷制御方法をコンピュータに実行させるためのプログラムであって、前記画像に対する印刷指定を設定する印刷設定ステップと、前記印刷設定ステップにより設定された印刷指定を行うための電源の状態を検出する電源状態検出ステップと、前記印刷設定ステップにより設定された印刷指定の設定内容を取得する設定内容取得ステップと、前記設定内容取得ステップにより取得された印刷指定の設定内容に基づいて、所定数の画像を印刷するのに必要な処理内容を決定する処理内容決定ステップと、前記電源状態検出ステップで検出された電源の状態と、前記処理内容決定ステップで決定された処理内容とに基づいて、前記電源の状態が、前記印刷設定ステップで設定された印刷指定を完了できるか否かを判定する印刷完了判定ステップと、前記印刷完了判定ステップによる判定の結果、前記電源の状態が、前記印刷設定ステップで設定された印刷指定を完了できると判定された場合に、前記印刷装置に対して前記画像の印刷処理を開始するように指示する印刷制御ステップとをコンピュータに実行させる。
【００１７】
また、本発明のプログラムにおけるその他の態様は、所定数の画像を視認可能に印刷処理するための印刷制御装置の印刷動作を制御する印刷制御方法をコンピュータに実行させるためのプログラムであって、印刷を行うための電源の状態を検出する電源状態検出ステップと、第１印刷ジョブを記憶媒体に格納する第１印刷ジョブ格納ステップと、前記電源状態検出ステップで検出された電源の状態に基づいて、前記第１印刷ジョブを変更して第２印刷ジョブを作成する作成ステップと、前記作成ステップにより作成された前記第２印刷ジョブを前記格納手段に格納する第２印刷ジョブ格納ステップとをコンピュータに実行させる。
【００１８】
本発明のコンピュータ読み取り可能な記憶媒体は、前記プログラムをコンピュータに読み取り可能に記憶する。
【発明の効果】
【００１９】
本発明によれば、設定された印刷指定を行うのに必要な電源の状態を検出し、少なくとも検出した電源の状態に基づいて、設定された印刷指定を完了できるか否かを判定し、設定された印刷指定を完了できると判定した場合に、印刷装置に対して指定された所定数の画像の印刷処理を開始するように指示するようにしたので、画像の印刷処理中に、電源の消耗による印刷処理の停止を回避し、印刷処理の停止による印刷用紙とインクのムダを防ぐことができる。
【００２０】
また、本発明によれば、印刷装置の印刷方式と設定された印刷指定とに基づいて指定された所定数の画像を印刷するのに必要な処理内容を決定し、この決定した処理内容と検出した電源の状態とに基づいて、設定された印刷指定を完了できるか否かを判定し、設定された印刷指定を完了できると判定された場合に、印刷装置に対して指定された所定数の画像の印刷処理を開始するように指示するようにしたので、画像の印刷処理中に、電源の消耗による印刷処理の停止を回避し、印刷処理の停止による印刷用紙とインクのムダを防ぐことができる。
【００２１】
また、本発明によれば、設定された印刷指定の設定内容に基づいて指定された所定数の画像を印刷するのに必要な処理内容を決定し、この決定した処理内容と検出した電源の状態とに基づいて、設定された印刷指定を完了できるか否かを判定し、設定された印刷指定を完了できると判定された場合に、印刷装置に対して指定された所定数の画像の印刷処理を開始するように指示するようにしたので、画像の印刷処理中に、電源の消耗による印刷処理の停止を回避し、印刷処理の停止による印刷用紙とインクのムダを防ぐことができる。
【００２２】
また、本発明によれば、設定された印刷指定を完了できない場合に、設定された印刷指定のうち、完了できる印刷指定に自動的に再設定するようにしたので、印刷装置での画像の印刷処理中に、当該印刷処理が停止してしまうのを回避することができる。これにより、印刷処理の停止による印刷用紙とインクのムダを防ぐことができる。
【００２３】
また、本発明によれば、設定された印刷指定を完了できない場合に、設定された印刷指定のうち、完了できる印刷指定の範囲内で印刷設定の再設定を要求するようにしたので、印刷装置での画像の印刷処理中に、当該印刷処理が停止してしまうのを回避することができる。これにより、印刷処理の停止による印刷用紙とインクのムダを防ぐことができる。
【００２４】
また、本発明によれば、設定された印刷指定を完了できない場合に、設定された印刷指定のうち、完了できない印刷指定の印刷ジョブを作成し、この印刷ジョブを記憶媒体に記憶するようにしたので、電源を交換するなどして電力が回復した場合に、記憶媒体に記憶していた完了していない印刷指定の印刷ジョブの処理を行うことができる。これにより、設定された印刷指定をすべて行うことが可能となる。また、ユーザにとっても、同じような印刷処理が繰り返し行われないため、快適な印刷処理となる。
【発明を実施するための最良の形態】
【００２５】
次に、本発明に係る実施の形態について説明する。
図１は、本発明の実施の形態に係る印刷制御装置を含む印刷制御システムの機能構成を示したブロック図である。図１に示すように、印刷制御システムは、画像を視認可能に印刷処理する印刷手段を備えた印刷装置２００と、印刷装置２００の印刷動作を制御する印刷制御装置１００と、印刷制御装置１００と印刷装置２００とを送受信可能に接続する通信ケーブル３００とを有している。
【００２６】
図１に示すように、印刷制御装置１００は、印刷制御装置１００における電源であるバッテリー１０１と、バッテリー１０１の電源状態を検出するバッテリー状態検出部１０２と、ユーザに対して印刷指定を選択させるための表示等を行う表示部１０３と、印刷装置２００と情報や画像データを送受信する通信部１０４と、印刷処理を行う画像を記録している画像記録部１０５と、ユーザが印刷指定を行うための操作スイッチ部１０６と、印刷装置２００における印刷処理を制御する印刷制御部１０７と、バッテリー状態検出部１０２による電源状態の情報等から、表示部１０３及び操作スイッチ部１０６により設定された印刷指定が完了できるか否かを判定する印刷完了判定部１０８と、種々の情報やデータを記憶するためのメモリ１０９ａ及びメモリカード１０９ｂを有している。
【００２７】
印刷制御部１０７は、操作スイッチ部１０６あるいは表示部１０３からユーザにより指定された印刷指定の情報、バッテリー状態検出部１０２からバッテリー１０１の電源状態の情報、及び画像記録部１０５から画像を取得する。印刷完了判定部１０８では、印刷制御部１０７で取得した情報や画像等から、印刷指定が完了できるか否かを判定する。
【００２８】
また、印刷制御部１０７は、印刷完了判定部１０８により印刷指定が完了できないと判定された場合に、完了できない印刷指定の内容をメモリ１０９ａに記憶しておく。そして、印刷制御部１０７は、印刷指定された画像の印刷処理が終了した等のタイミングで、メモリ１０９ａに記憶されている完了できなかった印刷指定の内容から印刷ジョブを作成し、これをメモリカード１０９に記憶する。
【００２９】
図２は、本発明の実施の形態に係る印刷制御装置の印刷処理を示すフローチャートである。なお、図２において、フローチャートにおける各ステップを“Ｓ”と略して示す。
【００３０】
まず、ステップＳ１０１では、操作スイッチ部１０６によって印刷の実行の指示がなされると、印刷制御部１０７において、印刷開始の処理を実行する。続いて、ステップＳ１０２では、バッテリー状態検出部１０２において、自機器（印刷制御装置）のバッテリー１０１の電源状態を取得する。
【００３１】
続いて、ステップＳ１０３では、印刷制御部１０７において、ステップＳ１０２でバッテリー状態検出部１０２により取得されたバッテリー１０１の電源状態が定常状態から変化したか否かを判定する。本実施の形態では、ステップＳ１０３での判定は、バッテリー１０１の電源電圧が減少したか否かを判定するものとする。ステップＳ１０３での判定の結果、バッテリー１０１の電源状態が定常状態から変化していないと判定された場合には、ステップＳ１１５に進む。一方、ステップＳ１０３での判定の結果、バッテリー１０１の電源状態が定常状態から変化した（本実施の形態では、バッテリー１０１の電源電圧が減少した）と判定された場合には、ステップＳ１０４に進む。
【００３２】
ステップＳ１０３でバッテリー１０１の電源状態が定常状態から変化した（本実施の形態では、バッテリー１０１の電源電圧が減少した）と判定された場合、続いて、ステップＳ１０４では、印刷制御部１０７において、接続されている印刷装置２００の印刷方式を取得する。続いて、ステップＳ１０５では、印刷制御部１０７において、表示部１０３及び操作スイッチ部１０６により設定された印刷指定の設定内容を取得する。このステップＳ１０５で取得される印刷指定の設定内容としては、例えば、印刷画像の情報（ファイル形式、ファイルサイズなど）や印刷枚数、印刷用紙のサイズ（印刷範囲）、印刷位置（レイアウト）、印刷品質（画質）、印刷用紙の種類（紙質）、インクの種類、印刷効果（特殊効果）、画像の加工の情報などが挙げられる。また、これらの印刷指定の設定内容は、ユーザが表示部１０３及び操作スイッチ部１０６を用いて指定した情報や、ユーザが印刷装置２００本体に直接指定した情報、あるいは、印刷装置２００が自動検出した情報（設定情報）に基づいて取得される。
【００３３】
続いて、ステップＳ１０６では、印刷制御部１０７において、ステップＳ１０４で取得した印刷装置２００の印刷方式と、ステップＳ１０５で取得した印刷指定の設定内容から、自機器内部での処理内容を決定する。
【００３４】
続いて、ステップＳ１０７では、印刷完了判定部１０８において、ステップＳ１０６で決定した処理内容と、ステップＳ１０２で取得したバッテリー１０１の電源状態から、印刷指定の設定内容をすべて完了することができるか否かを判定する。この判定の結果、印刷指定の設定内容をすべて完了することができると判定された場合には、ステップＳ１１５に進む。一方、ステップＳ１０７での判定の結果、印刷指定の設定内容をすべては完了することができないと判定された場合には、ステップＳ１０８に進み、印刷制御部１０７において、図３に示すような警告画面を表示部１０３に表示する。
【００３５】
続いて、ステップＳ１０９では、印刷完了判定部１０８において、印刷指定のうち、１枚以上の印刷が可能であるか否かを判定する。この判定の結果、１枚の印刷もできないと判定された場合には、ステップＳ１１７に進む。一方、ステップＳ１０９での判定の結果、１枚以上の印刷が可能であると判定された場合には、ステップＳ１１０に進む。
【００３６】
続いて、ステップＳ１１０では、印刷制御部１０７において、印刷指定の設定内容を自動的に変更するか否かを判定する。この判定の結果、印刷指定の設定内容を自動的に変更すると判定された場合には、ステップＳ１１１に進み、完了できる印刷指定に変更する。ここで、ステップＳ１１１での処理は、例えば印刷指定のうち、印刷枚数を印刷完了できる最大数に自動的に変更する。このとき、印刷制御部１０７は、もともと設定されていた印刷指定のうち、印刷処理を完了できない印刷指定の設定内容をメモリ１０９ａに一時記憶しておく。
【００３７】
一方、ステップＳ１１０での判定の結果、印刷指定の設定内容を自動的に変更しないと判定された場合には、続いて、ステップＳ１１２に進み、印刷制御部１０７において、印刷指定を変更するか否かの判定を行う。この判定の結果、印刷指定を変更しないと判定された場合には、ステップＳ１１５に進む。一方、ステップＳ１１２での判定の結果、印刷指定を変更すると判定された場合には、ステップＳ１１３に進む。
【００３８】
ステップＳ１１３では、印刷制御部１０７において、印刷処理を完了できる印刷指定の設定範囲に限定した選択肢を表示部１０３に表示する。続いて、ステップＳ１１４では、印刷制御部１０７において、ステップＳ１１３で表示した印刷指定の設定範囲における選択肢の中から、ユーザにより選択された印刷指定を新たな印刷指定として再設定する。
【００３９】
ステップＳ１０３でバッテリー１０１の電源状態が定常状態から変化していないと判定された場合、あるいは、ステップＳ１０７で指定された印刷設定の内容をすべて完了することができると判定された場合、あるいは、ステップＳ１１１の処理が終了した場合、あるいは、ステップＳ１１４の処理が終了した場合、続いて、ステップＳ１１５では、印刷制御部１０７において、印刷装置２００に対して印刷指定された所定数の画像の印刷処理を実行するよう指示する。
【００４０】
続いて、ステップＳ１１６では、印刷制御部１０７において、印刷装置２００で１枚の印刷処理が終了した際に、印刷設定されている印刷枚数の印刷処理が終了したか否かを判定する。この判定の結果、印刷設定されている印刷枚数の印刷が終了していないと判定された場合には、ステップＳ１０２に戻って、再度印刷処理を繰り返す。一方、ステップＳ１１６の判定の結果、印刷指定されている印刷枚数の印刷が終了したと判定された場合には、ステップＳ１１９に進み、処理を終了する。
【００４１】
また、ステップＳ１０９での判定の結果、１枚の印刷もできないと判定された場合、続いて、ステップＳ１１７では、印刷制御部１０７において、印刷処理を完了できなかった印刷指定があるか否かを判定する。このステップＳ１１７での判定は、印刷処理を完了できなかった印刷指定の設定内容がメモリ１０９ａに記憶されているか否かで行われる。ステップＳ１１７での判定の結果、印刷処理を完了できなかった印刷指定があると判定された場合には、ステップＳ１１８に進み、メモリ１０９ａに記憶されている印刷指定の設定内容に基づいて新たに印刷ジョブを作成し、作成した印刷ジョブをメモリーカード１０９に記憶する。なお、ここで作成された印刷ジョブは、印刷完了できなかった少なくとも１枚以上の画像を印刷指定するためのジョブである。複数の画像データが印刷完了できなかった場合には、その複数の画像をまとめた１つのジョブにするのが好ましいであろう。
そのジョブの内容は、もともとのジョブ内容を分割するか、もしくはコピーすることで、印刷サイズや画質などの各種印刷設定が変わってしまうことを防止できる。その後、ステップＳ１１９に進んで、印刷処理を終了する。一方、ステップＳ１１７での判定の結果、印刷処理を実行できなかった印刷設定がないと判定された場合には、ステップＳ１１９に進んで、印刷処理を終了する。
【００４２】
本発明の実施の形態によれば、印刷装置の印刷方式と表示部１０３及び操作スイッチ部１０６により設定された印刷指定とに基づいて自機器で必要な処理内容を決定し（図２のステップＳ１０６）、この決定した処理内容と検出した自機器のバッテリー１０１の電源状態とに基づいて、印刷指定を完了できるか否かを判定し（図２のステップＳ１０７）、印刷指定を完了できると判定された場合に、印刷装置に対して設定された所定数の画像の印刷処理を開始するように指示するようにしたので（図２のステップＳ１１５）、画像の印刷処理中に、バッテリー１０１の消耗による印刷処理の停止を回避し、印刷処理の停止による印刷用紙とインクのムダを防ぐことができる。
【００４３】
また、本発明の実施の形態によれば、設定された印刷指定を完了できない場合に、設定された印刷指定のうち、完了できる印刷指定に自動的に再設定するようにしたので（図２のステップＳ１１１）、画像の印刷処理中に、印刷処理が停止してしまうのを回避することができる。
【００４４】
また、本発明の実施の形態によれば、設定された印刷指定を完了できない場合に、設定された印刷指定のうち、完了できる印刷指定の範囲内でユーザに印刷指定の再設定を要求するようにしたので（図２のステップＳ１１３）、画像の印刷処理中に、印刷処理が停止してしまうのを回避することができる。
【００４５】
また、本発明の実施の形態によれば、設定された印刷指定を完了できない場合に、設定された印刷指定のうち、完了できない印刷指定の印刷ジョブを作成し、この印刷ジョブをメモリカード１０９ｂに記憶するようにしたので（図２のステップＳ１１８）、バッテリー１０１を交換するなどして電力が回復した場合に、メモリカード１０９ｂに記憶していた印刷処理が完了していない印刷指定の印刷ジョブを処理することができる。これにより、設定された印刷指定をすべて行うことが可能となる。また、ユーザにとっても、同じ印刷処理が繰り返し行われないため、快適な印刷処理となる。
【００４６】
次に、本発明の実施の形態に係る印刷制御装置１００を適用した実施例について説明する。
【００４７】
（第１の実施例）
図４は、第１の実施例における印刷制御装置を含む印刷制御システムの概略図である。第１の実施例では、印刷制御装置としてカメラ一体型ＶＴＲを適用した例を示す。
【００４８】
図４に示すように、第１の実施例における印刷制御システムは、通信手段を備えた民生用デジタルＶＴＲ規格に準じた液晶モニタ付きのカメラ一体型ＶＴＲ１１０と、カメラ一体型ＶＴＲ１１０に記録されている画像の印刷処理を行う印刷手段を備えた印刷装置２００と、カメラ一体型ＶＴＲ１１０と印刷装置２００とを送受信可能に接続する通信ケーブル３００とを有している。
【００４９】
このように構成された印刷制御システムでは、カメラ一体型ＶＴＲ１１０と印刷装置２００との間で命令やデータの送受信を行って、カメラ一体型ＶＴＲ１１０に記録されている画像を印刷装置２００で印刷することができる。
【００５０】
なお、カメラ一体型ＶＴＲ１１０と印刷装置２００との接続は、通信ケーブル３００に限らず、無線通信方式によっても通信を行うことができる。これにより、カメラ一体型ＶＴＲ１１０と印刷装置２００との間で命令やデータの送受信を無線で行って、カメラ一体型ＶＴＲ１１０に記録されている画像を印刷装置２００で印刷することができる。
【００５１】
図５は、第１の実施例における印刷制御装置（カメラ一体型ＶＴＲ１１０）のブロック構成図である。
図５において、１は音声を集音するマイク部、２はマイク部１より取り込まれた声信号に対して所定の信号処理を施す音声信号処理部、３はアナログ音声信号をデジタル音声信号に変換するＡ／Ｄ変換部、４は被写体を撮像するための撮像部、５はアナログ映像信号をデジタル映像信号に変換するＡ／Ｄ変換部、６は撮像部４から取り込まれ、Ａ／Ｄ変換された映像信号に対して所定の信号処理を施す映像信号処理部、７はマイクロコンピュータ等により構成され、後述のシステム制御部２３、カメラ系操作部２５の指示等により、カメラ系全体を制御するカメラ系制御部である。
【００５２】
また、図５において、８は時計部２４において発生した現在の日付・時刻、システム制御部２３において発生したＰＰＩＤ等の各種のＩＤデータ等に対して、サブコード記録領域に記録可能なデジタル信号とするためにＤ／Ｄ変換を行うサブコードデータエンコード部、１０はサブコードデータを検出して出力するサブコードデータ検出部である。また、１９はデジタル音声信号、デジタル映像信号及びサブコードデータをそれぞれ切り替えて出力するデータ切替部１９ａを含む記録信号処理部、２１は記録信号処理部１９から出力された各々のデジタル信号を磁気テープ（不図示）に記録、あるいは、磁気テープ（不図示）に記録されたデジタル信号を再生するための磁気ヘッドを含むメカ部である。
【００５３】
また、図５において、２０は磁気ヘッドを含むメカ部２１より再生されたデジタル音声信号、デジタル映像信号及びサブコードデータをそれぞれ切り替えて出力するデータ切替部２０ａを含む再生信号処理部、１４はデータ切替部２０ａで切替分離されたデジタル音声信号をアナログ音声信号に変換するＤ／Ａ変換部、１３は変換されたアナログ音声信号に対して所定の信号処理を施す音声信号処理部、１２は音声を出力するスピーカ部である。
【００５４】
また、図５において、１７はデータ切替部２０ａで切替分離されたデジタル映像信号をアナログ映像信号に変換するＤ／Ａ変換部、１６は変換されたアナログ映像信号に対して所定の信号処理を施す映像信号処理部、１８はシステム制御部２３の指示に従って日付・時刻、メニューをはじめとする各種の情報をスーパーインポーズするためのＯＳＤ（Ｏｎ Ｓｃｒｅｅｎ Ｄｉｓｐｌａｙ）部、１５は映像信号処理部１６より得られた映像、及びＯＳＤ部１８より得られたスーパーインポーズ情報を表示する液晶モニタ部、９はサブコードデータ検出部１０からのサブコードデータ（撮影日付・時刻データ、ＰＰＩＤ等の各種ＩＤデータ等）に対してＤ／Ｄ変換を行うサブコード・データデコード部である。
【００５５】
また、図５において、２４は撮影日付・時刻を発生するための時計部、２５はカメラ系の操作に係わる各種スイッチ（［ＺＯＯＭ］,［ＦＯＣＵＳ］等）類から構成されるカメラ系操作部、２６はＶＴＲ系、及び装置全体に関する各種スイッチ（［ＵＰ］、［ＤＯＷＮ］、［ＲＩＧＨＴ］、［ＬＥＦＴ］、［ＭＥＮＵ］、［ＰＬＡＹ］、［ＦＦ／ＲＥＷ］、［ＳＴＯＰ］、［ＳＴＡＲＴ／ＳＴＯＰ］、［ＰＨＯＴＯ］、［ＰＨＯＴＯ  ＳＥＲＡＣＨ］等）類から構成されるＶＴＲ系操作部、２７は本体の電源モード（カメラ・ＶＴＲ・オフ）を選択するための電源モードＳＷ部、２８はリモコン信号を受信してリモコンコードをシステム制御部２３に送出する赤外リモコン信号受信部である。
【００５６】
また、図５において、２９はカメラ一体型ＶＴＲ１１０の駆動電源となるバッテリー、３０は印刷装置２００と情報や画像を送受信する通信部、３１及び３２は種々の情報やデータを記憶するためのメモリ及びメモリカードである。また、メモリカード３１には、映像信号処理部１６より得られた映像における画像が記録される。
【００５７】
システム制御部２３は、上述したカメラ一体型ＶＴＲ１１０の各種機能を総合的に制御するマイクロコンピュータ等から構成され、タイマー機能をはじめとする各種機能を有し、電源モードの制御、ＶＴＲブロックの動作モード遷移の制御、各種情報の表示制御、各種撮影モードの記憶と保持等を主に行う。更に、標準圧縮記録モード／高圧縮記録モードの切り替えに伴う、記録時のシステムデータの設定処理、記録／再生信号処理、メカ部２１の制御等も行う。
【００５８】
次に、上述のように構成されたカメラ一体型ＶＴＲ１１０の記録動作について説明する。
マイク部１から取り込まれた音声信号は、音声信号処理部２において所定の信号処理が施された後、Ａ／Ｄ変換部３においてデジタル信号に変換されて記録信号処理部１９のデータ切替部１９ａに入力される。また、撮像部４から取り込まれた映像信号は、Ａ／Ｄ変換部６においてデジタル信号に変換され、映像信号処理部５において所定の信号処理が施された後、記録信号処理部１９のデータ切替部１９ａに入力される。
【００５９】
これと同時に、時計部２４からの現在日付・時刻データは、サブコードデータエンコード部８において磁気テープのサブコード記録領域に記録可能なデジタル信号とするためにＤ／Ｄ変換された後、サブコードデータ検出部１０を介して連続的に記録信号処理部１９のデータ切替部１９ａに入力される。
【００６０】
そして、データ切替部１９ａでは、民生用デジタルＶＴＲ規格におけるテープ記録フォーマットに準じて、デジタル音声信号、デジタル映像信号、サブコードデータとしての撮影日付・時刻データ、及びＩＴＩデータがそれぞれ所定の記録領域に記録されるように、それぞれの入力データを切替えて出力し、磁気ヘッド２１に供給する。
【００６１】
上述したように、カメラ一体型ＶＴＲ１１０では、デジタル音声信号及びデジタル映像信号と、これらの撮影日付・時刻を示すデータとが、同時且つ連続的に磁気テープ（不図示）上の別領域にデジタル的に記録されることとなる。
【００６２】
次に、上述のように構成されたカメラ一体型ＶＴＲ１１０の再生動作について説明する。
磁気ヘッド２１より読み取られたデジタル音声信号、デジタル映像信号、サブコードデータとしての撮影日付・時刻データ、及びＩＴＩデータは、常時、データ切替部２０ａに入力され、このデータ切替部２０ａにおいて、それぞれ時系列に切替えられて出力される。
【００６３】
データ切替部２０ａから出力されるデジタル音声信号は、Ｄ／Ａ変換部１４においてアナログ音声信号に変換された後、音声信号処理部１３において所定の信号処理が施されてスピーカ部１２から音声出力される。また、データ切替部２０ａから出力されるデジタル映像信号は、Ｄ／Ａ変換部１７においてアナログ映像信号に変換され、記録信号処理部１６において所定の信号処理が施される。
【００６４】
同時に、データ切替部２０ａから出力されるサブコードデータとしての撮影日付・時刻データは、サブコードデータ検出部１０を介してサブコードデータデコード部９においてＤ／Ｄ変換されて、システム制御部２３に入力される。そして、システム制御部２３では、撮影日付・時刻データに対して、使用者によってあらかじめ入力された時差に係わる補正情報に基づいて時差補正処理を施した後、文字表示用データに変換してＯＳＤ制御部１８に出力する。そして、ＯＳＤ制御部１８において、スーパーインポーズデータに変換され、映像信号処理部１６から出力された映像信号とともに液晶モニタ部１５に出力され、液晶モニタ部１５において、再生映像とともに時差補正された撮影日付・時刻がスーパーインポーズされて表示される。
【００６５】
第１の実施例におけるカメラ一体型ＶＴＲ１１０では、液晶モニタ部１６が図１の表示部１０３に相当し、システム制御部２３が図１のバッテリー状態検出部１０２、印刷制御部１０７及び印刷完了判定部１０８に相当し、カメラ系操作部２５、ＶＴＲ系操作部２６及び電源モードＳＷ部２７が図１の操作スイッチ部１０６に相当し、バッテリー２９が図１のバッテリー１０１に相当し、通信部３０が図１の通信部１０４に相当し、メモリ３１が図１のメモリ１０９ａに相当し、メモリカード３２が図１の画像記録部１０５及びメモリカード１０９ｂに相当する構成となっている。
【００６６】
このように構成されたカメラ一体型ＶＴＲ１１０においても、図２のステップＳ１０１〜ステップＳ１１９の各処理を実行することにより、前述した本発明の実施の形態における作用・効果を奏することができる。
【００６７】
（第２の実施例）
図６は、第２の実施例における印刷制御装置を含む印刷制御システムの概略図である。第２の実施例では、印刷制御装置としてパーソナルコンピュータを適用した例を示す。
【００６８】
図６に示すように、第２の実施例における印刷制御システムは、通信手段を備えたパーソナルコンピュータ１２０と、パーソナルコンピュータ１２０に記録されている画像の印刷処理を行う印刷手段を備えた印刷装置２００と、パーソナルコンピュータ１２０と印刷装置２００とを送受信可能に接続する通信ケーブル３００とを有している。
【００６９】
このように構成された印刷制御システムでは、パーソナルコンピュータ１２０と印刷装置２００との間で命令やデータの送受信を行って、パーソナルコンピュータ１２０に記録されている画像を印刷装置２００で印刷することができる。
【００７０】
なお、パーソナルコンピュータ１２０と印刷装置２００との接続は、通信ケーブル３００に限らず、無線通信方式によっても通信を行うことができる。これにより、パーソナルコンピュータ１２０と印刷装置２００との間で命令やデータの送受信を無線で行って、パーソナルコンピュータ１２０に記録されている画像を印刷装置２００で印刷することができる。
【００７１】
図７は、第２の実施例における印刷制御装置（パーソナルコンピュータ１２０）のブロック構成図である。
図７において、２０１はマイクロプロセッサであり、パーソナルコンピュータ全体を制御する。２０２は数字や文字、記号を入力するためのキーボード、２０３はＧＵＩ上のポインティング手段となるタッチパッドである。また、２０４はＯＳなどによるＧＵＩを表示する液晶画面、２０５はパーソナルコンピュータの駆動電源となるバッテリーである。
【００７２】
また、図７において、２０６はＯＳや記録保存データを格納するハードディスクドライブであり、２０７は一時的な情報の格納に使用されるメモリである。また、２０８はＣＤメディアへの書き込みや読み出しを行うＣＤ−ＲＯＭドライブ、２０９は他の機器との通信するための入出力コネクタを有する通信ボードである。
【００７３】
第２の実施例におけるパーソナルコンピュータ１２０では、マイクロプロセッサ２０１が図１のバッテリー状態検出部１０２、印刷制御部１０７及び印刷完了判定部１０８に相当し、キーボード２０２及びタッチパッド２０３が図１の操作スイッチ部１０６に相当し、液晶画面２０４が図１の表示部１０３に相当し、バッテリー２０５が図１のバッテリー１０１に相当し、ハードディスクドライブ２０６が図１の画像記録部１０５及びメモリカード１０９ｂに相当し、メモリ２０７が図１のメモリ１０９ａに相当し、通信ボード２０９が図１の通信部１０４に相当する構成となっている。
【００７４】
このように構成されたパーソナルコンピュータ１２０においても、図２のステップＳ１０１〜ステップＳ１１９の各処理を実行することにより、前述した本発明の実施の形態における作用・効果を奏することができる。
【００７５】
（第３の実施例）
図８は、第３の実施例における印刷制御装置を含む印刷制御システムの概略図である。第３の実施例では、印刷制御装置として携帯電話等の通信機器を適用した例を示す。
【００７６】
図８に示すように、第３の実施例における印刷制御システムは、通信手段を備えた携帯電話等の通信機器１３０と、通信機器１３０に記録されている画像の印刷処理を行う印刷手段を備えた印刷装置２００と、通信機器１３０と印刷装置２００とを送受信可能に接続する通信ケーブル３００とを有している。
【００７７】
このように構成された印刷制御システムでは、携帯電話等の通信機器１３０と印刷装置２００との間で命令やデータの送受信行って、携帯電話等の通信機器１３０に記録されている画像を印刷装置２００で印刷することができる。
【００７８】
なお、携帯電話等の通信機器１３０と印刷装置２００との接続は、通信ケーブル３００に限らず、無線通信方式によっても通信を行うことができる。これにより、携帯電話等の通信機器１３０と印刷装置２００との間で命令やデータの送受信を無線で行って、携帯電話等の通信機器１３０に記録されている画像を印刷装置２００で印刷することができる。
【００７９】
図９は、第３の実施例における印刷制御装置（通信機器１３０）のブロック構成図である。
図９において、３０１はマイクロプロセッサであり、携帯電話等の通信機器全体を制御する。３０２は数字や文字、記号を入力するためのテンキー、３０３は電源投入のための電源スイッチである。また、３０４は表示モニタとしての液晶画面、３０５は携帯電話等の通信機器本体の駆動電源となるバッテリーである。
【００８０】
また、図９において、３０６は無線通信に必要な回路で構成される無線通信モジュールであり、３０７は一時的な情報の格納に使用されるメモリである。３０８はアンテナであり、３０９は印刷装置２００との通信コネクタである。
【００８１】
第３の実施例における通信機器１３０では、マイクロプロセッサ３０１が図１のバッテリー状態検出部１０２、印刷制御部１０７及び印刷完了判定部１０８に相当し、テンキー３０２が図１の操作スイッチ部１０６に相当し、液晶画面３０４が図１の表示部１０３に相当し、バッテリー３０５が図１のバッテリー１０１に相当し、通信コネクタ３０９、あるいは無線通信モジュール３０６及びアンテナ３０８が図１の通信部１０４に相当し、メモリ３０７が図１のメモリ１０９ａに相当し、メモリカード３１０が図１の画像記録部１０５及びメモリカード１０９ｂに相当する構成となっている。
【００８２】
このように構成された通信機器１３０においても、図２のステップＳ１０１〜ステップＳ１１９の各処理を実行することにより、前述した本発明の実施の形態における作用・効果を奏することができる。
【００８３】
なお、本発明の実施の形態では、各印刷制御装置が自機器のバッテリーの状態を検出して、設定された印刷指定を完了できるか否かを判定するようにしているが、本発明はこの形態に限定されるわけではなく、例えば、印刷制御システムにおいて、印刷制御装置にはバッテリーを設けずに印刷装置側にのみバッテリーを設け、印刷制御装置では、印刷装置のバッテリーの状態を検出して、設定された印刷指定を完了できるか否かを判定するようにした形態でもよい。
【００８４】
また、本発明の実施の形態は、例えば、図２のステップＳ１０１〜ステップＳ１１９の各処理のプログラムをコンピュータが実行することによって実現することができる。また、プログラムをコンピュータに供給するための手段としては、例えば、かかるプログラムを記録したＣＤ−ＲＯＭ、ＤＶＤ、メモリ、ハードディスク等のコンピュータ読み取り可能な記憶媒体や、かかるプログラムを伝送するインターネットやＬＡＮ等の伝送媒体が挙げられる。以上、本発明の実施の形態について、図面を参照して詳述してきたが、具体的な構成は前述した実施形態に限られるものではなく、本発明の要旨を逸脱しない範囲で適宜変更可能である。
【図面の簡単な説明】
【００８５】
【図１】本発明の実施の形態に係る印刷制御装置を含む印刷制御システムの機能構成を示したブロック図である。
【図２】本発明の実施の形態に係る印刷制御装置の印刷処理を示すフローチャートである。
【図３】印刷制御装置の表示部に表示される警告画面の一例を示した図である。
【図４】第１の実施例における印刷制御装置を含む印刷制御システムの概略図である。
【図５】第１の実施例における印刷制御装置のブロック構成図である。
【図６】第２の実施例における印刷制御装置を含む印刷制御システムの概略図である。
【図７】第２の実施例における印刷制御装置のブロック構成図である。
【図８】第３の実施例における印刷制御装置を含む印刷制御システムの概略図である。
【図９】第３の実施例における印刷制御装置のブロック構成図である。
【符号の説明】
【００８６】
１００  印刷制御装置
１０１  バッテリー
１０２  バッテリー状態検出部
１０３  表示部
１０４  通信部
１０５  画像記録部
１０６  操作スイッチ部
１０７  印刷制御部
１０８  印刷完了判定部
１０９ａ  メモリ
１０９ｂ  メモリカード
２００  印刷装置
３００  通信ケーブル
【図１】
2006163638.tif 000003
【図２】
2006163638.tif 000004
【図３】
2006163638.tif 000005
【図４】
2006163638.tif 000006
【図５】
2006163638.tif 000007
【図６】
2006163638.tif 000008
【図７】
2006163638.tif 000009
【図８】
2006163638.tif 000010
【図９】
2006163638.tif 000011